(57)【要約】【課題】本発明は、光量調整を行う際に、回折による解像度の劣化を低減しつつ、ＮＤフィルタや絞り羽根が安定して動作し、しかも画質品位が高く、且つコンパクトな光量調整装置を提供することを目的とする。   【解決手段】露出開口を全開する開放位置から全閉する閉鎖位置に至る領域を二つに区画し、その第１の領域では５角形以上の多角形絞り開口を形成し、第２の領域では４角形絞り開口を形成し、絞り装置として用いる場合には第１の領域内で作動し、絞り兼用シャッタ装置として用いる場合には第１第２の領域内で作動する。【選択図】  図７
2012078556.tif 000002
【特許請求の範囲】
【請求項１】
光軸を中心に露出開口を形成する地板と、
前記地板上に移動可能に支持され、互いに前記光軸を中心に相反方向に移動する第１及び第２の遮光部材から成り、前記第１の遮光部材は、同一方向に変位する異なる相対的変位量をもつ第１の絞り羽根と、この第１の絞り羽根より相対的変位量が大きい第２の絞り羽根とで構成され、前記第２の遮光部材は、前記第１の遮光部材と相反方向に変位する異なる相対的変位量をもつ第３の絞り羽根と、この第３の絞り羽根より相対的変位量が小さい第４の絞り羽根とで構成され、前記露出開口を全開する開放位置から全閉する閉鎖位置に至る領域を二つに区画し、その第１の領域では前記第１乃至第４の絞り羽根で５角形以上の多角形絞り開口を形成し、第２の領域では相対的変位量が小さい前記第１及び第４の絞り羽根の移動方向先端部を前記第２及び第３の絞り羽根の移動方向後端部に重ね前記露出開口の開放側を覆い、相対的変位量が大きい互いに隣り合う前記第２及び第３の絞り羽根で４角形絞りを形成し、前記露出開口を順次絞り込む絞り部材と、
前記第１、第２、第３、第４の絞り羽根を同時に駆動制御する絞り駆動手段と、
前記絞り部材が形成する前記絞り開口を検出する絞り開口検出手段と、
から成ることを特徴とした光量調節装置。
【請求項２】
光軸を中心に露出開口を形成する地板と、
前記地板上に移動可能に支持され、互いに前記光軸を中心に相反方向に移動する第１及び第２の遮光部材から成り、前記第１の遮光部材は、同一方向に変位する異なる相対的変位量をもつ第１の絞り羽根と、この第１の絞り羽根より相対的変位量が大きい第２の絞り羽根とで構成され、前記第２の遮光部材は、前記第１の遮光部材と相反方向に変位する異なる相対的変位量をもつ第３の絞り羽根と、この第３の絞り羽根より相対的変位量が小さい第４の絞り羽根とで構成され、前記露出開口を全開する開放位置から全閉する閉鎖位置に至る領域を二つに区画し、その第１の領域では５角形以上の多角形絞り開口を形成し、第２の領域では前記第１及び第４の絞り羽根を補助羽根として前記第２及び第３の絞り羽根で４角形絞り開口を形成し、前記露出開口を順次絞り込む絞り部材と、
前記第１、第２、第３、第４の絞り羽根を同時に駆動制御する絞り駆動手段と、
前記絞り部材が前記多角形絞りの絞り開口を形成する前記第１の領域内の所定の絞り開口を少なくとも検出する絞り開口検出手段と、
前記絞り部材によって形成された前記所定の絞り開口から退避した第１の位置とその絞り開口を全て覆う第２の位置との間を往復移動して前記所定絞り開口を通過する光量を増減させることが可能な減光フィルタと、
前記絞り開口検出手段が検出する前記所定の絞り開口で前記減光フィルタを第１の位置から第２の位置に移動させるフィルタ駆動手段と、
から成ることを特徴とした光量調節装置。
【請求項３】
前記光量調整装置は絞り装置又は絞り兼用シャッタ装置として用いられ、
絞り装置として用いる場合には第１の領域内で作動され、
絞り兼用シャッタ装置として用いる場合には第１第２の領域内で作動する請求項１及び２に記載の光量調整装置。
【請求項４】
前記第１、第２、第３、第４の絞り羽根はこの順序で前記地板上に重ねられ、相対的変位量が大きい互いに隣り合う前記第２及び第３の絞り羽根で前記第２の領域内で４角形絞りを形成するとともに、相対的変位量が小さい前記第１及び第４の絞り羽根の移動方向先端部を前記第２及び第３の絞り羽根の移動方向後端部に重ね前記露出開口の開放側を覆うことを特徴とした請求項１及び２に記載の光量調節装置。
【請求項５】
前記減光フィルタは、単一濃度の単濃度フィルタ、複数の濃度領域を隣接する多段濃度フィルタ、濃度率が順次単調増減するグラディーションフィルタから成る請求項２に記載の光量調節装置。
【請求項６】
請求項１及び５の何れか１項に記載の光量調節装置を用いた光学機器であって、
前記撮像面に配置され、前記光量調節装置を通った被写体光を光電変換して撮像信号を生成する撮像手段を具備することを特徴とする光学機器。
【発明の詳細な説明】
【技術分野】
【０００１】
本発明は、ビデオカメラやスチルカメラなどの光学機器に搭載され被写体からの光量を絞り羽根と減光フィルタを使って制御する光量調整装置の改良に関する。
【背景技術】
【０００２】
一般に、ビデオカメラやスチルカメラに搭載された光量調整装置（絞り装置）は、撮影レンズから入射する光の光量を絞り羽根を使ってＦ４〜Ｆ５．６まで絞り込んだ後に、減光フィルタを使ってＦ１１〜Ｆ１６まで減光させている。
この結果、この光量調整装置は、絞り羽根による過度な絞り込みを無くし、ピンホール現象で知られる小絞り回折による解像度の劣化を低減しつつ、絞り変化に対する急激な光量変化を抑えることで光量減光フィルタや絞り羽根が安定して動作することが知られている。
【０００３】
例えば、その様な光量調整装置としては、特許文献１［特開２００２−１４３８４号公報］で開示されている。
その光量調整装置は、図１０で示す様に、撮影レンズから入射する光の光量が高くなりはじめると、まず絞り羽根１０６、１０７が図示（ａ）の露出開口全開状態から図示（ｂ）の状態に駆動され、絞り開口が絞り込まれる。
そして、図示（ｂ）の位置に絞り羽根１０６、１０７が到達した状態で絞り羽根１０６、１０７は停止し、ＮＤフィルタ１０４が図示（ｂ）の状態から光路内に挿入され、光量に応じて図示（ｃ）、（ｄ）の状態を経てやがて図示（ｅ）のように光路を完全に覆う。
更に、光量が高くなると、絞り羽根１０６、１０７が再び駆動されて、図示（ｆ）の様に絞りを更に絞り込み光量調整を行うものである。
【０００４】
尚、図示（ｄ）の状態で、小絞り領域１１５が形成され、回折現象により解像度が劣化するが、光路の全断面積に占める小絞り領域１１５の比率を低くすることで、全体の解像度の劣化を抑えられることが出来、結果、回折による解像度の劣化を低減することが出来る。
【０００５】
しかも、図示（ｂ）の位置で絞り羽根１０６、１０７を停止させた状態でＮＤフィルタ１０４を光路内へ挿入することで、光量変化がＮＤフィルタの減光特性のみに対応することから、絞り羽根自体にＮＤフィルタを貼付け、絞り羽根の移動による絞り開口の絞り込みと連動させてＮＤフィルタを覆い被せる構造のものに比べ、絞り駆動手段の駆動角度に対する光量変化がなだらかに成り、ハンチング現象が抑制されることから安定した絞り動作を行うことが出来る。
【先行技術文献】
【特許文献】
【０００６】
【特許文献１】特開２００２−１４３８４号公報
【発明の概要】
【発明が解決しようとする課題】
【０００７】
しかしながら、特許文献１で開示する光量調整装置の様に、二枚の絞り羽根を使って絞り開口を形成する場合、図１０で示す様に、その絞り開口が４角形絞りとなることから以下の二つの課題を持っている。
その一つ目の課題は、露出開口を絞り込むに連れ、背景部のボケ箇所にフレア現象により４角形絞りの開口形状が映し出され、この４角形絞りの開口形状が５角形以上の多角形絞り開口形状と比較してに画像品位が低いと評価される要因となっていること。
二つ目の課題は、この光量調整装置を絞り兼用シャッタ装置として使用する場合に、二枚の絞り羽根で形成する絞り開口を完全に閉鎖する必要が有る。
そして、その二枚の絞り羽根で露出開口を閉鎖するためには、少なくとも一方の絞り羽根で露出開口の半分を覆い被せ、他方の絞り羽根で露出開口の残りの半分を覆い被せる必要が有る。
そのために、露出開口全開状態で、それぞれの絞り羽根は露出開口の半分を覆い被せる幅に相当する分、その露出開口から退避させ空間を備える必要が有り、装置外形を小さくすることが出来ない。
【０００８】
本発明は、光量調整を行う際に、回折による解像度の劣化を低減しつつ、ＮＤフィルタや絞り羽根が安定して動作し、しかも画質品位が高く、且つコンパクトな光量調整装置を提供することを目的とする。
【課題を解決するための手段】
【０００９】
この課題を解決するために、本願の請求項１の光量調整装置は、光軸を中心に露出開口を形成する地板と、前記地板上に移動可能に支持され、互いに前記光軸を中心に相反方向に移動する第１及び第２の遮光部材から成り、前記第１の遮光部材は、同一方向に変位する異なる相対的変位量をもつ第１の絞り羽根と、この第１の絞り羽根より相対的変位量が大きい第２の絞り羽根とで構成され、前記第２の遮光部材は、前記第１の遮光部材と相反方向に変位する異なる相対的変位量をもつ第３の絞り羽根と、この第３の絞り羽根より相対的変位量が小さい第４の絞り羽根とで構成され、前記露出開口を全開する開放位置から全閉する閉鎖位置に至る領域を二つに区画し、その第１の領域では前記第１乃至第４の絞り羽根で５角形以上の多角形絞り開口を形成し、第２の領域では相対的変位量が小さい前記第１及び第４の絞り羽根の移動方向先端部を前記第２及び第３の絞り羽根の移動方向後端部に重ね前記露出開口の開放側を覆い、相対的変位量が大きい互いに隣り合う前記第２及び第３の絞り羽根で４角形絞りを形成し、前記露出開口を順次絞り込む絞り部材と、前記第１、第２、第３、第４の絞り羽根を同時に駆動制御する絞り駆動手段と、前記絞り部材が前記多角形絞りの絞り開口を形成する前記第１の領域内の所定の絞り開口を少なくとも検出する絞り開口検出手段と、から成ることを特徴とするものである。
【００１０】
本願の請求項２の光量調整装置は、光軸を中心に露出開口を形成する地板と、前記地板上に移動可能に支持され、互いに前記光軸を中心に相反方向に移動する第１及び第２の遮光部材から成り、前記第１の遮光部材は、同一方向に変位する異なる相対的変位量をもつ第１の絞り羽根と、この第１の絞り羽根より相対的変位量が大きい第２の絞り羽根とで構成され、前記第２の遮光部材は、前記第１の遮光部材と相反方向に変位する異なる相対的変位量をもつ第３の絞り羽根と、この第３の絞り羽根より相対的変位量が小さい第４の絞り羽根とで構成され、前記露出開口を全開する開放位置から全閉する閉鎖位置に至る領域を二つに区画し、その第１の領域では５角形以上の多角形絞り開口を形成し、第２の領域では４角形絞り開口を形成し、前記露出開口を順次絞り込む絞り部材と、前記第１、第２、第３、第４の絞り羽根を同時に駆動制御する絞り駆動手段と、前記絞り部材が前記多角形絞りの絞り開口を形成する前記第１の領域内の所定の絞り開口を少なくとも検出する絞り開口検出手段と、前記絞り部材によって形成された前記所定の絞り開口から退避した第１の位置とその絞り開口を全て覆う第２の位置との間を往復移動して前記所定絞り開口を通過する光量を増減させることが可能な減光フィルタと、前記絞り開口検出手段が検出する前記所定の絞り開口で前記減光フィルタを第１の位置から第２の位置に移動させるフィルタ駆動手段と、から成ることを特徴とするものである。
【００１１】
本願の請求項３に記載の光量調整装置は、請求項１及び２に記載の光量調整装置を絞り装置又は絞り兼用シャッタ装置として用いることが出来、絞り装置として用いる場合には第１の領域内で作動され、絞り兼用シャッタ装置として用いる場合には第１第２の領域内で作動することを特徴とするものである。
【００１２】
本願の請求項４に記載の光量調整装置は、請求項１及び２に記載の光量調節装置において、前記第１、第２、第３、第４の絞り羽根はこの順序で前記地板上に重ねられ、相対的変位量が大きい互いに隣り合う前記第２及び第３の絞り羽根で前記第２の領域内で４角形絞りを形成するとともに、相対的変位量が小さい前記第１及び第４の絞り羽根の移動方向先端部を前記第２及び第３の絞り羽根の移動方向後端部に重ね前記露出開口の開放側を覆うことを特徴とするものである。
【００１３】
本願の請求項５に記載の光量調整装置は、請求項２に記載の光量調整装置において、前記減光フィルタが、単一濃度の単濃度フィルタ、複数の濃度領域を隣接する多段濃度フィルタ、濃度率が順次単調増減するグラディーションフィルタから成ることを特徴とするものである。
【００１４】
本願の請求項６に記載の光学機器は、上記請求項１及び５の何れか１項に記載の光量調節装置を用いた光学機器であって、前記撮像面に配置され、前記光量調節装置を通った被写体光を光電変換して撮像信号を生成する撮像手段を具備することを特徴とするものである。
【発明の効果】
【００１５】
本願の請求項１の光量調整装置では、異なる相対的変位量をもつ前記第１、第２、第３、第４の絞り羽根を使って、前記露出開口を全開する開放位置から全閉する閉鎖位置に至る領域を二つに区画し、その第１の領域では５角形以上の多角形絞り開口を形成し、第２の領域では４角形絞り開口を形成し、その前記多角形絞りの絞り開口を形成する第１の領域内を使って絞り制御を行うことで、フレア現象によって生ずる画像模様が多角形となり違和感が抑制され画質品位が向上すると共に、回折による解像度の劣化を低減しつつ、絞り羽根が安定して動作し、しかも４角形絞りの絞り開口を形成する第２の領域をシャッタの閉鎖動作に使うことで小型の光量調整装置を提供することが出来る。
【００１６】
本願の請求項２の光量調整装置では、異なる相対的変位量をもつ前記第１、第２、第３、第４の絞り羽根を使って、前記露出開口を全開する開放位置から全閉する閉鎖位置に至る領域を二つに区画し、その第１の領域では５角形以上の多角形絞り開口を形成し、第２の領域では４角形絞り開口を形成し、その前記多角形絞りの絞り開口を形成する第１の領域内の所定の絞り開口を減光フィルタで覆い被せ光量を増減させることで、フレア現象によって生ずる画像模様が多角形となり違和感が抑制され画質品位が向上すると共に、回折による解像度の劣化を低減しつつ、減光フィルタや絞り羽根が安定して動作する光量調整装置を提供することが出来る。
【００１７】
また本願の請求項３に記載の光量調整装置では、絞り装置として用いる場合には第１の領域内で作動されることによって、絞り作動範囲内では５角形以上の多角形絞り開口が維持され、画質品位の高い画像撮影が可能である。また絞り兼用シャッタ装置として用いる場合には第１第２の領域内で作動することによって、４角形絞り開口を形成する第２の領域を使って露出開口を閉鎖することが出来、シャッタ装置として兼用することが出来る。
【００１８】
また本願の請求項４に記載の光量調整装置では、第１、第２、第３、第４の絞り羽根はこの順序で前記地板上に重ねられ、相対的変位量が大きい互いに隣り合う前記第２及び第３の絞り羽根で前記第２の領域内で４角形絞りを形成するとともに、相対的変位量が小さい前記第１及び第４の絞り羽根の移動方向先端部を前記第２及び第３の絞り羽根の移動方向後端部に重ね前記露出開口の開放側を覆うことによって、第１に、小絞り側の絞り開口を互いに隣り合う前記第２及び第３の絞り羽根で形成することで、羽根同士の隙間を最小限に抑えることが出来、斜めから入射光を遮蔽することで開口量を正確に制御可能。第２に、小絞り側の絞り開口を形成する相対的変位量が大きい前記第２及び第３の絞り羽根の移動方向後端部を相対的変位量が小さい前記第１及び第４の絞り羽根の移動方向先端部を重ね露出開口の開放側を覆うことで、小絞り時に前記露出開口の開放側で光漏れを起こすことが無く、前記第２及び第３の絞り羽根の小さくすることが出来、光量調節装置の小型化を図ることが可能。
【００１９】
また本願の請求項５に記載の光量調整装置では、前記減光フィルタとして単一濃度の単濃度フィルタ、複数の濃度領域を隣接する多段濃度フィルタ、濃度率が順次単調増減するグラディーションフィルタのいずれのフィルタでも用いること出来、上記請求項２乃至４に対応した効果を呈することが可能である。
【００２０】
更に本願の請求項６に記載の光学機器では、上記請求項１及び５の何れか１項に記載の光量調節装置を搭載することで、上記請求項１乃至４に対応した効果を呈する画像撮影が可能な小型な機器を提供可能である。
【図面の簡単な説明】
【００２１】
【図１】本発明の光量調整装置を搭載した光学機器の構成を示すブロック図。
【図２】本発明の光量調整装置の構成を説明するための断面図。
【図３】本発明の光量調整装置の絞り全開状態図。
【図４】本発明の光量調整装置の中絞り動作途中の状態図。
【図５】本発明の光量調整装置の小絞り動作途中の状態図。
【図６】本発明の光量調整装置の絞り全閉状態図。
【図７】本発明の光量調整装置の絞りとフィルタ動作タイミング図。
【図８】本発明の光量調整装置の絞り開口状態図。
【図９】本発明の光量調整装置の減光フィルタの構成を説明する説明図。
【図１０】従来の光量調整装置の動作説明図。
【発明を実施するための形態】
【００２２】
以下、本発明の実施の形態について図示に基づき詳細に説明する。   
【００２３】
［光学機器の構成］
まず、本発明の光量調整装置を搭載した光学機器の全体構成について説明する。図１はその光学機器の構成を示すブロック図をしめすものである。
【００２４】
図１において、光学機器Ｑは、まず光軸Ｑ１に沿って前部レンズ群Ｑ２、ズームレンズ群Ｑ３、補正用レンズ群Ｑ４、フォーカスレンズＱ５で撮像光学系レンズが構成される。
そしてズームレンズ群Ｑ３が光軸Ｑ１に沿って前後に移動することによって、変倍動作が行われ、フォーカスレンズＱ５が前後に移動することによって、焦点調整動作が行われる。
【００２５】
光軸Ｑ１上には、絞り駆動手段である絞り駆動部Ｂａにより制御される遮光部材Ｂｂ、Ｂｃが配置される。また、遮光部材Ｂｂ、Ｂｃの前方には、遮光フィルタ駆動手段である遮光フィルタ駆動部Ｃａにより光路に出し入れされる減光フィルタであるＮＤフィルタＣｂが配置される。なお、ＮＤフィルタＣｂと遮光部材Ｂｂ、Ｂｃとは互いに独立して制御される。
【００２６】
遮光部材Ｂｂ、Ｂｃの位置は、絞り開口検出手段Ｂｄにより検出され、光量制御部Ｑ８に絞り位置信号として入力される。また、ＮＤフィルタＣｂの位置は、ＮＤフィルタ検出部Ｃｃにより検出され、光量制御部Ｑ８にＮＤフィルタ位置信号として入力される。
【００２７】
撮像光学系レンズを通過した被写体像は撮像素子Ｑ６上で結像される。撮像素子Ｑ６からの信号は画像処理回路Ｑ７において画像データに変換されメモリーＱ９に記憶され、必要に応じて標準テレビジョン信号に変換され、図示しない外部の記録部やテレビジョンモニタ等に出力される。
【００２８】
光量制御部Ｑ８には、画像処理回路Ｑ７から被写体の光量信号が入力される。光量制御部Ｑ８は、撮像素子Ｑ６に入射する光量が一定になるように、絞り検出部ＢｄとＮＤフィルタ検出部Ｃｃの出力を参照しながら、絞り駆動部Ｂａと、ＮＤフィルタ駆動部Ｃａとに制御信号を出力する。
【００２９】
［光量調整装置の構成］
次に、本発明の光量調整装置の全体構成について説明する。図２は、その光量調整装置の断面図を示す。
図中、Ａは光量調整装置で、絞り装置Ｂと遮光フィルタ装置Ｃから構成され、上述の光学機器に搭載され、光学機器の光量を調整している。尚、絞り装置Ｂと遮光フィルタ装置Ｃは後述する絞り羽根と遮光フィルタを摺動する空間を中央部位に形成した状態で紙面上下から重ね合わされている。
【００３０】
［絞り装置の構成］
絞り装置Ｂは、絞り基板Ｂ０と、絞り駆動手段である絞り駆動部Ｂａと、遮光部材Ｂｂ、Ｂｃと、絞り羽根支持プレートＤ１、Ｄ２とから成る。また絞り駆動部Ｂａは、絞り駆動アームＢ１と、マグネットＢ２と、下コイル枠Ｂ３と、上コイル枠Ｂ４と、ヨークＢ５と、導電コイルＢ６と、導電端子Ｂ７と、絞り開口検出手段Ｂ８とから構成されている。
【００３１】
絞り基板Ｂ０は、樹脂を成形加工したもので、絞り羽根支持プレートＤ１を載置する平面中央部位に露出開口Ｂ０ｃを形成すると共に、絞り駆動部Ｂａの取付基準部材と成る上コイル枠Ｂ４を係合支持するコイル枠支持爪部Ｂ０ａと、遮光フィルタ装置Ｃの遮光フィルタ基板Ｃ０と支持係合するフィルタ基板支持爪部Ｂ０ｂとを形成する。
尚、コイル枠支持爪部Ｂ０ａとフィルタ基板支持爪部Ｂ０ｂは支持のために少なくとも二箇所以上形成されている。
【００３２】
絞り駆動アームＢ１は、絞り基板Ｂ０同様に樹脂を成形加工したもので、中心部に回転軸Ｂ１ａと、回転軸Ｂ１ａの上部から径方向左右に伸びたアーム部に直立形成された駆動ピンＢ１ｂ、Ｂ１ｃ、Ｂ１ｄ、Ｂ１ｅを形成する。
尚、回転軸Ｂ１ａの上端部は曲面の頂部を摺動当接面とし、下端部は軸周面を摺動当接面としている。また、上端部の頂部が回転基準となる様に、後述するマグネットＢ２とヨークＢ５との位置関係から紙面上方に磁気的に付勢支持されている。
【００３３】
マグネットＢ２は、ネオジ磁石を中空円柱形状に成形したＮＳ２極の異方性マグネットで、その中空部に絞り駆動アームＢ１の回転軸Ｂ１ａが図示の様に貫通した状態で接着剤により接着され、絞り駆動アームＢ１と一体化されマグネットロータを形成している。
【００３４】
下コイル枠Ｂ３と上コイル枠Ｂ４は、同様に樹脂成形加工部品で、それぞれ絞り駆動アームＢ１に形成された回転軸Ｂ１ａの端部を摺動可能に支持する軸受を形成し、下コイル枠Ｂ３の内部に上記マグネットロータを挿入し、その上から上コイル枠Ｂ４を被せ、マグネットロータを回転可能に保持すると共に、外周部に形成した凹溝に沿って導電コイルＢ６が巻回される。
【００３５】
ヨークＢ５は、鉄系の軟磁性材で作られた円筒状の管で、マグネットＢ２の磁気回路を形成すると共に、外部と磁気シールドしている。
実施製品では上述した様に図示のものと多少異なり、ヨークＢ５の上下中央部位置が、マグネットＢ２の上下中央部位置に対し紙面上方になる様に、マグネットＢ２の寸法に対しヨークＢ５の寸法が決められ、図示の様なヨークＢ５の寸法にする樹脂性のリング（不図示）が嵌め込まれる。
【００３６】
導電コイルＢ６は、駆動コイルと制動コイルから成り、それぞれ適宜巻回される。尚、駆動回路の構成によっては制動コイルは巻回しなくてもよい。
【００３７】
導電端子Ｂ７は、導電コイルＢ６の駆動コイルに駆動電流を供給する駆動端子Ｂ７ａと、制動コイルに発生した起電力を取り出すための制動端子Ｂ７ｂから成り、図示せぬフレキシブルプリント配線板を介し図１で示す光量制御部Ｑ８に電気的に接続されている。
【００３８】
絞り開口検出手段Ｂ８は、図示の様に下コイル枠Ｂ３とヨークＢ５との隙間に差し込まれ、マグネットＢ２とヨークＢ５間の磁気回路内に配設され、マグネットＢ２の回転に伴い変化する磁界の変化を捉えることが出来るホール素子から成り、その出力側は光量制御部Ｑ８と電気的に接続されている。
実際に、絞り開口検出手段Ｂ８はマグネットＢ２の回転に伴いう磁界の変化を電圧（電流）の変化として光量制御部Ｑ８に出力し、光量制御部Ｑ８はその出力変化を捉え絞りの変化として捕らえている。この結果、光量制御部Ｑ８は絞りが適正値に無い場合は、適正な絞りになる様に絞り駆動部Ｂａを制御している。
【００３９】
絞り羽根支持プレートＤ１、Ｄ２は、ステンレス鋼（ＳＵＳ）の板材をプレス加工した平板で、遮蔽部材Ｂｂ、Ｂｃに対峙する面上に、遮蔽部材Ｂｂ、Ｂｃとの接触面積を低減させ摺動性を高めるための突起が少なくとも三個以上形成されている。
【００４０】
次に、遮光部材Ｂｂ、Ｂｃについて図３乃至図６に基づき詳述する。図３は絞り全開状態図、図４は中絞り動作状態図、図５は小絞り動作状態図、図６は絞り全閉状態図、図７は絞りとフィルタ動作タイミング図、図８は絞り開口状態図をそれぞれ示している。
【００４１】
［遮光部材の絞り構成］
遮光部材Ｂｂ、Ｂｃは、図３で示す様に４枚の絞り羽根から成り、光軸を中心に露出開口Ｂ０ｃを形成する絞り地板Ｂ０上に移動可能に支持され、互いに前記光軸を中心に相反方向に移動する。
まず遮光部材Ｂｂは、同一方向に変位する異なる相対的変位量をもつ第１の絞り羽根Ｓ１と、この第１の絞り羽根Ｓ１より相対的変位量が大きい第２の絞り羽根Ｓ２とで構成されている。
次に遮光部材Ｂｃは、遮光部材Ｂｂと相反方向に変位する異なる相対的変位量をもつ第３の絞り羽根Ｓ３と、この第３の絞り羽根Ｓ３より相対的変位量が小さい第４の絞り羽根Ｓ４とで構成されている。
これら第１の絞り羽根Ｓ１乃至第４の絞り羽根Ｓ４は、それぞれ絞り駆動部Ｂａの絞り駆動アームＢ１に形成された駆動ピンＢ１ｂ、Ｂ１ｃ、Ｂ１ｄ、Ｂ１ｅと係合するスリットＳ１ａ乃至Ｓ４ａを有し駆動連結され、それぞれ光軸を中心に露出開口Ｂ０ｃを形成する絞り地板Ｂ０上に移動可能に支持されている。
【００４２】
［遮光部材の絞り開口形成］
この第１の絞り羽根Ｓ１乃至第４の絞り羽根Ｓ４は、絞り駆動手段である絞り駆動部Ｂａの絞り駆動アームＢ１に形成された駆動ピンＢ１ｂ、Ｂ１ｃ、Ｂ１ｄ、Ｂ１ｅにより同時にそれぞれ絞り地板Ｂ０に許容ガイドされる方向に駆動制御される。
また第１の絞り羽根Ｓ１乃至第４の絞り羽根Ｓ４は、この順序で絞り地板Ｂ０上に重ねられ、絞り駆動アームＢ１の駆動ピンＢ１ｂ、Ｂ１ｃ、Ｂ１ｄ、Ｂ１ｅのアーム長に応じ異なる相対的変位量をもって、図３で示す絞り全開状態から、図４で示す中絞り動作途中の状態、図５で示す小絞り動作途中の状態を介し、図６で示す絞り全閉状態に移動可能である。
尚、絞りの開口形状から、絞り地板Ｂ０の露出開口Ｂ０ｃを全開する開放位置から全閉する閉鎖位置に至る領域を二つに区割することが出来、その第１の領域では第１、第２、第３、第４の絞り羽根Ｓ１乃至Ｓ４で５角形以上の多角形絞り開口を形成し、第２の領域では４角形絞り開口を形成し、前記露出開口Ｂ０ｃを順次絞り込む。
【００４３】
つまり、第１の領域では相対的変位量の異なる第１、第２、第３、第４の絞り羽根Ｓ１乃至Ｓ４の全て使って絞り開口を形成させることで露出開口Ｂ０ｃ内に５角形以上の多角形絞り開口を形成する。また第２の領域内では、相対的変位量が大きい互いに隣り合う第２の絞り羽根Ｓ２及び第３の絞り羽根Ｓ３により４角形絞り開口を形成させ、相対的変位量が小さい第１の絞り羽根Ｓ１及び第４の絞り羽根Ｓ４の移動方向先端部を第２の絞り羽根Ｓ２及び第３の絞り羽根Ｓ３の移動方向後端部に重ねることで、第２の絞り羽根Ｓ２及び第３の絞り羽根Ｓ３により遮蔽し得ない露出開口Ｂ０ｃの開放側（周辺部）を覆う様に補助羽根として用いている。
【００４４】
この結果、小絞り側の絞り開口を互いに隣り合う第２の絞り羽根Ｓ２及び第３の絞り羽根Ｓ３で形成することで、羽根同士の隙間を最小限に抑えることが出来、斜めから入射光を遮蔽することで開口量を正確に制御可能にしている。
また、第２の領域で第１の絞り羽根Ｓ１及び第４の絞り羽根Ｓ４を補助羽根として用いることで、第２の絞り羽根Ｓ２及び第３の絞り羽根Ｓ３の露出開口Ｂ０ｃを覆う部分の幅寸法を小さくすることが出来、光量調節装置の小型化を図っている。
【００４５】
図６及び図７で示す様に、光量調整装置を絞り装置として用いる場合には、この５角形以上の多角形絞り開口を形成する第１の領域内で、被写体からの光量に応じて絞りを絞ったり、広げたりすることで、フレア現象の発生を最低限に抑えると共に、フレア現象によって生ずる画像模様が多角形となり違和感が抑制され画質品位を向上することが出来る。
【００４６】
また、光量調整装置を絞り兼用シャッタ装置として用いる場合には、まず第１の領域を使って適正な絞り開口を決定し、４角形絞り開口を形成する第２の領域を使って露出開口Ｂ０ｃを閉鎖するまでシャッタ時間で露光量を調整する。
【００４７】
［遮光フィルタ装置の構成］
次に遮光フィルタ装置Ｃについて図２に基づき詳述する。遮光フィルタ装置Ｃは、遮光フィルタ基板Ｃ０と、遮光フィルタ駆動手段であるフィルタ駆動部Ｃａと、遮光フィルタ部材Ｃｂとから成る。またフィルタ駆動部Ｃａは、フィルタ駆動アームＣ１と、マグネットＣ２と、下コイル枠Ｃ４と、上コイル枠Ｃ３と、ヨークＣ５と、導電コイルＣ６と、導電端子Ｃ７と、フィルタ位置検出手段Ｃ８とから構成されている。
【００４８】
フィルタ基板Ｃ０は、樹脂を成形加工したもので、遮光フィルタＣｂ1を載置する平面以外に、フィルタ駆動部Ｃａの取付基準部材と成る下コイル枠Ｃ４を係合支持するコイル枠支持爪部Ｃ０ａと、絞り装置Ｂの絞り基板Ｂ０と支持係合する絞り基板係合部Ｃ０ｂとを形成する。
尚、コイル枠支持爪部Ｃ０ａと絞り基板係合部Ｃ０ｂは平衡に支持するために少なくとも二箇所以上形成されている。
【００４９】
フィルタ駆動部Ｃａの駆動アームＣ１は、フィルタ基板Ｃ０同様に樹脂を成形加工したもので、中心部に回転軸Ｃ１ａと、回転軸Ｃ１ａの下部から径方向左右に伸びたアーム部に直立形成された駆動ピンＣ１ｂを形成する。
尚、回転軸Ｃ１ａの下端部は曲面の頂部を摺動当接面とし、上端部は軸周面を摺動当接面としている。また、下端部の頂部が回転基準となる様に、後述するマグネットＣ２とヨークＣ５との位置関係から紙面下方に磁気的に付勢支持されている。
【００５０】
マグネットＣ２は、ネオジ磁石を中空円柱形状に成形したＮＳ２極の異方性マグネットで、その中空部にフィルタ駆動アームＣ１の回転軸Ｃ１ａが図示の様に貫通した状態で接着剤により接着され、フィルタ駆動アームＣ１と一体化されマグネットロータを形成している。
【００５１】
上コイル枠Ｃ３と下コイル枠Ｃ４は、同様に樹脂成形加工部品で、それぞれフィルタ駆動アームＣ１に形成された回転軸Ｃ１ａの端部を摺動可能に支持する軸受を形成し、上コイル枠Ｃ３の内部に上記マグネットロータを挿入し、その下側から下コイル枠Ｃ４を被せ、マグネットロータを回転可能に保持すると共に、外周部に形成した凹溝に沿って導電コイルＣ６が巻回される。
【００５２】
ヨークＣ５は、鉄系の軟磁性材で作られた円筒状の管で、マグネットＣ２の磁気回路を形成すると共に、外部と磁気シールドしている。
実施製品では上述した様に図示のものと多少異なり、ヨークＣ５の上下中央部位置が、マグネットＣ２の上下中央部位置に対し紙面下方になる様に、マグネットＣ２の寸法に対しヨークＣ５の寸法が決められ、図示の様なヨークＣ５の寸法にする樹脂性のリング（不図示）が嵌め込まれる。
【００５３】
導電コイルＣ６は、駆動コイルと制動コイルから成り、それぞれ適宜巻回される。尚、駆動回路の構成によっては制動コイルを巻回しなくてもよい。
【００５４】
導電端子Ｃ７は、導電コイルＣ６の駆動コイルに駆動電流を供給する駆動端子Ｃ７ａと、制動コイルに発生した起電力を取り出すための制動端子Ｃ７ｂから成り、図示せぬフレキシブルプリント配線板を介し図１で示す光量制御部Ｑ８に電気的に接続されている。
【００５５】
フィルタ開口検出手段Ｃ８は、図示の様に上コイル枠Ｃ３とヨークＣ５との隙間に差し込まれ、マグネットＣ２とヨークＣ５間の磁気回路内に配設され、マグネットＣ２の回転に伴い変化する磁界の変化を捉えることが出来るホール素子から成り、その出力側は光量制御部Ｑ８と電気的に接続されている。
実際に、フィルタ開口検出手段Ｂ８はマグネットＣ２の回転に伴いう磁界の変化を電圧（電流）の変化として光量制御部Ｑ８に出力し、光量制御部Ｑ８はその出力変化を捉えフィルタ位置を捕らえている。
【００５６】
［遮光フィルタ］
この光量制御部Ｑ８は絞りが所定の絞り開口（Ｆ４又はＦ５．６）になったところで、絞り駆動部Ｂａの作動を停止させた状態で、遮光フィルタＣｂ1を絞り開口から退避した第１の位置とその絞り開口を全て覆う第２の位置との間を往復移動して前記所定絞り開口を通過する光量を増減させる。そして、フィルタ開口検出手段Ｂ８の出力を捕らえながら光量変化に応じ遮光フィルタＣｂ1を絞りに覆い被せることで、絞り値（Ｆ１１又はＦ１６）に絞り込むように制御している。
【００５７】
この減光フィルタＣｂ1は、単一濃度の単濃度フィルタ、複数の濃度領域を隣接する多段濃度フィルタ、濃度率が順次単調増減するグラディーションフィルタを選択でき、遮光フィルタ部材Ｃｂを構成するフィルタ羽根に接着剤を使って貼り付けられている。
【００５８】
［絞り制御動作］
次に、光量調整装置を絞り装置として用いる場合について図３乃至図９に基づきその絞り制御の一連動作を説明する。
【００５９】
［絞り全開状態］
まず図３で示す絞り全開状態について説明する。この絞り全開状態では、被写体からの光量が低く、絞り駆動部Ｂａの絞り駆動アームＢ１に対しそれぞれ係合する第１の絞り羽根Ｓ１、第２の絞り羽根Ｓ２、第３の絞り羽根Ｓ３、第４の絞り羽根Ｓ４の全てが露出開口Ｂ０ｃから退避した退避位置に保持されている。
【００６０】
［中絞り状態］
次に、図４で示す中絞り状態について説明する。この中絞り状態では、被写体からの光量が多少高くなり、多少光量を絞る必要がある場合で、絞り駆動アームＢ１が紙面時計方向に回転し、絞り駆動アームＢ１のアーム長に応じた相対的移動量だけ第１の絞り羽根Ｓ１、第２の絞り羽根Ｓ２、第３の絞り羽根Ｓ３、第４の絞り羽根Ｓ４のそれぞれが同期して露出開口Ｂ０ｃ内に進入し、図示の様に１０角形の絞り開口を形成し光量を絞り込む。尚、図示は１０角形の絞り開口を図示しているが、４枚の絞り羽根の絞り形状と相対移動変化を調整することで、後述する４角形の絞り開口を形成するまでの間に、１４角形、１０角形、８角形、６角形と順次絞り開口を変化させることが出来、画像品位をカメラが得意とするそれぞれの光量に対するボカシ画像に変化させることが可能。
【００６１】
［小絞り状態］
次に、図５で示す小絞り状態について説明する。この小絞り状態では、被写体からの光量が可也高くなり、これ以上絞り込むと回折現象が発生し、画質品位を下げる限界の絞り状態であり、図示で示す様に、相対的移動量の小さい第１の絞り羽根Ｓ１に対し相対的移動量の大きな第２の絞り羽根Ｓ２が先行し、他方、相対的移動量の小さい第４の絞り羽根Ｓ４に対し相対的移動量の大きい第３の絞り羽根Ｓ３が同様に先行移動することで、相対的移動量の大きな第２の絞り羽根Ｓ２と第３の絞り羽根Ｓ３によって露出開口Ｂ０ｃ内に図示の様な４角形の絞り開口を形成し光量を絞り込む。この絞り開口の状態は、常時絞り駆動部Ｂａの絞り開口検出手段Ｂ８で検出され、その情報は光量制御部Ｑ８に伝えられる。
【００６２】
［減光フィルタ絞り状態］
次に、図９で示す減光フィルタ絞り状態について説明する。この減光フィルタ絞り状態では、被写体からの光量が更に高くなり、光量を減光させる必要がある場合で、図５で示す絞り羽根による絞り込みが出来ない状態での減光方法で、図示で示す様に、図５で示す小絞り状態を絞り開口検出手段Ｂ８が検出し、絞り開口検出手段Ｂ８の出力データを監視する光量制御部Ｑ８が捕らえ、絞り駆動部Ｂａの絞り駆動アームＢ１をその位置に保持する様に制御し、図５で示す小絞り状態に保持する。その状態で、光量制御部Ｑ８は内臓するＣＰＵで適正に減光できる減光フィルタＣｂ1の移動量を決定し、フィルタ駆動部Ｃａのフィルタ駆動アームＣ１を適正位置に回動し、減光フィルタＣｂ1の移動を制御する。
【００６３】
以上の動作を被写体からの光量の変化に応じて第１の絞り羽根Ｓ１、第２の絞り羽根Ｓ２、第３の絞り羽根Ｓ３、第４の絞り羽根Ｓ４、減光フィルタＣｂ1の移動位置を制御して光量調整を行う。
【００６４】
［絞り兼用シャッタ動作］
次に光量調整装置を絞り兼用シャッタ装置として用いる場合について説明する。絞り動作は上記同様な制御がなされ、シャッタ機能として絞り開口を完全に閉鎖する必要が有る。従って、絞り兼用シャッタ装置としては、絞り制御を絞り開口が５角形以上の多角形で絞り込まれる第１の領域を使って制御され、所定のタイミングでシャッタを閉鎖する為に４角形で絞り開口を形成する第２の領域を利用している。この第１、第２の領域を使い分けることで、画質品位を決める絞り動作時は５角形以上の多角形で画質品位の高い第１領域を、画質品位にさほど関与しないシャッタ動作時は装置のコンパクト化のために形成させた４角形の第２領域を使うことで、画質品位が高く、しかも装置外形がコンパクトな装置とすることが出来る。
【００６５】
尚、コンパクト化を重視しなければ、先に説明した様に第２の領域内で、相対的変位量が大きい互いに隣り合う第２の絞り羽根Ｓ２及び第３の絞り羽根Ｓ３により４角形絞り開口を形成させ、相対的変位量が小さい第１の絞り羽根Ｓ１及び第４の絞り羽根Ｓ４の移動方向先端部を第２の絞り羽根Ｓ２及び第３の絞り羽根Ｓ３の移動方向後端部に重ねることで、第２の絞り羽根Ｓ２及び第３の絞り羽根Ｓ３により遮蔽し得ない露出開口Ｂ０ｃの開放側（周辺部）を覆う様に補助羽根として用いる必要が無く、第１の絞り羽根Ｓ１と第４の絞り羽根Ｓ４を絞り開口形成に使うことで５角形以上の多角形で絞り込みを行うことも出来る。
【符号の説明】
【００６６】
Ｑ          光学機器
Ａ          光量調整装置
Ｂ          絞り装置（絞り兼用シャッタ装置）
Ｂｂ、Ｂｃ  遮光部材
Ｓ１〜Ｓ４  絞り羽根
Ｂ０        絞り基板
Ｂ１        絞り駆動アーム
Ｂ２        マグネットロータ
Ｂ３        下コイル枠
Ｂ４        上コイル枠
Ｂ５        ヨーク
Ｂ６        導電コイル
Ｂ７        導電端子
Ｂ８        絞り開口検出手段
Ｃ          遮光フィルタ装置
Ｃｂ        遮光フィルタ部材
Ｃｂ１      遮光フィルタ
【図１】
2012078556.tif 000003
【図２】
2012078556.tif 000004
【図３】
2012078556.tif 000005
【図４】
2012078556.tif 000006
【図５】
2012078556.tif 000007
【図６】
2012078556.tif 000008
【図７】
2012078556.tif 000009
【図８】
2012078556.tif 000010
【図９】
2012078556.tif 000011
【図１０】
2012078556.tif 000012